(57)【要約】      （修正有）【課題】乗物に乗っている人物に対しより関心が示される情報を提供する、情報提供システム及び情報提供方法を提供する。【解決手段】情報提供システムにおいて、制御装置２３は、情報自システムが設置された乗物の現在の位置を示す位置情報を取得する位置情報取得部２３３と、位置情報取得部２３３によって取得された位置情報に応じた出力情報を出力装置において出力させる出力部２３５と、提供情報及び提供情報の履歴に関する情報を記憶する記憶部２３６と、を備える。【選択図】図３
2020154756.tif 000002
【特許請求の範囲】
【請求項１】
自システムが設置された乗物の現在の位置を示す位置情報を取得する位置情報取得部と、
前記位置情報取得部によって取得された位置情報に応じた出力情報を出力装置において出力させる制御部と、
を備える情報提供システム。
【請求項２】
自システムが設置された乗物の現在の位置を示す位置情報を取得する位置情報取得ステップと、
前記位置情報取得ステップにおいて取得された位置情報に応じた出力情報を出力装置において出力させる制御ステップと、
を有する情報提供方法。
【発明の詳細な説明】
【技術分野】
【０００１】
本発明は、少なくとも１名以上の人物が乗る乗物において、乗っている人物に対し情報を提供するための技術に関する。
【背景技術】
【０００２】
従来、様々な乗物において、その乗物に乗っている人物に対し広告などの情報提供が行われている（例えば特許文献１参照。）。例えば路線バスでは、バス停が近づくと、乗務員がボタン等の入力装置を操作することによって、そのバス停に応じた音声アナウンスをスピーカーから出力させる。音声アナウンスには、バス停そのものの紹介をする音声と、そのバス停の付近に位置する店舗等から登録された広告音声とが含まれる。
【先行技術文献】
【特許文献】
【０００３】
【特許文献１】特開２０１８−０９２３８５号公報
【発明の概要】
【発明が解決しようとする課題】
【０００４】
しかしながら、従来の音声アナウンスでは、予め各バス停に対応付けて登録されている音声が出力されるものの、必ずしも乗物に乗っている人物が関心を有する情報が提供されているとは限らなかった。このような問題は、バスに限らずどのような乗物においても同様に生じうる問題であった。
【０００５】
上記事情に鑑み、本発明は、乗物に乗っている人物に対しより関心が示される情報を提供することを可能とする技術の提供を目的としている。
【課題を解決するための手段】
【０００６】
本発明の一態様は、自システムが設置された乗物の現在の位置を示す位置情報を取得する位置情報取得部と、前記位置情報取得部によって取得された位置情報に応じた出力情報を出力装置において出力させる制御部と、を備える情報提供システムである。
【０００７】
本発明の一態様は、自システムが設置された乗物の現在の位置を示す位置情報を取得する位置情報取得ステップと、前記位置情報取得ステップにおいて取得された位置情報に応じた出力情報を出力装置において出力させる制御ステップと、を有する情報提供方法である。
【発明の効果】
【０００８】
本発明により、乗物に乗っている人物に対しより関心が示される情報を提供することが可能となる。
【図面の簡単な説明】
【０００９】
【図１】本発明の情報配信システム１００のシステム構成を示す概略ブロック図である。
【図２】情報提供システム２０の構成例を示すシステム構成図である。
【図３】制御装置２３の機能構成例を示す概略ブロック図である。
【図４】提供情報管理装置３０の機能構成例を示す概略ブロック図である。
【図５】出力条件と配信条件の位置条件との関係を示す図である。
【図６】情報配信システム１００における提供情報の配信処理の具体例を示すシーケンスチャートである。
【図７】情報配信システム１００における提供情報の出力処理の具体例を示すシーケンスチャートである。
【図８】情報配信システム１００における提供情報の出力時における例外処理の具体例を示すシーケンスチャートである。
【図９】地図表示画面の具体例を示す図である。
【図１０】提供情報の登録操作の画面の具体例を示す図である。
【図１１】提供情報の入力画面の具体例を示す図である。
【図１２】登録済みの提供情報の内容を確認する際の画面の具体例を示す図である。
【図１３】情報提供システム２０ａの構成例を示すシステム構成図である。
【図１４】情報提供システム２０ｂの構成例を示すシステム構成図である。
【発明を実施するための形態】
【００１０】
以下、本発明の具体的な構成例について、図面を参照しながら説明する。
図１は、本発明の情報配信システム１００のシステム構成を示す概略ブロック図である。情報配信システム１００は、乗物１０に対して設けられた情報提供システム２０、提供情報管理装置３０、端末装置４０を備える。情報提供システム２０は、無線通信を行うことで提供情報管理装置３０と通信可能に接続される。情報提供システム２０は、乗物１０毎に設置されてもよい。一つの情報配信システム１００に対し、複数の情報提供システム２０が設けられてもよい。情報提供システム２０は、自システムが設置された乗物１０の位置情報を取得する。情報提供システム２０は、例えば通信衛星５０と通信することによって、Global Positioning System（ＧＰＳ）等の手段により位置情報を取得してもよい。提供情報管理装置３０と端末装置４０とは、ネットワーク６０を介して通信可能に接続される。端末装置４０は、通信可能な情報処理装置であり、例えばスマートフォンやパーソナルコンピューター等の装置を用いて構成される。
【００１１】
乗物１０は、少なくとも１人以上の人間が乗ることが可能な乗物である。乗物１０は、例えば自転車、人力車、自動二輪車、自動三輪車、自動四輪車、自動車、鉄道車両である。乗物１０の具体例には、レンタサイクルの自転車、タクシー、路線バス、高速バス、地下鉄、電車、新幹線、船、屋形船、フェリー、飛行機がある。人力車は、人が引いて歩く又は走るものであってもよいし、人が車輪を漕ぐものであってもよい。
【００１２】
図２は、情報提供システム２０の構成例を示すシステム構成図である。情報提供システム２０は、乗物１０に設けられる。乗物１０には、第一音声出力装置１１０及び音声制御装置１２０が設けられている。第一音声出力装置１１０は、乗物１０に設けられたスピーカーである。音声制御装置１２０は、予め登録された音声アナウンスの情報に基づいて、第一音声出力装置１１０から音声を出力する。音声制御装置１２０は、例えば次の停車位置が近づいてきた場合に乗組員による操作を受け付けて所定の音声を第一音声出力装置１１０に出力させる。音声制御装置１２０によって出力される音声の具体例として、次の停車位置を紹介する音声や、次の停車位置に対応付けて予め登録されている広告の音声がある。音声制御装置１２０によって出力される音声は、例えば乗物１０の運営体と広告主との間で締結される契約に応じて登録される音声であってもよい。
【００１３】
情報提供システム２０は、提供情報管理装置３０から提供情報を取得する。提供情報には、乗物１０に乗っている人物に対して提供される情報（以下「出力情報」という。）と、その情報を出力する際の条件（以下「出力条件」という。）と、が含まれる。情報提供システム２０は、乗物１０の位置やその他の環境情報に応じて出力条件が満たされたか否か判定し、出力条件が満たされた出力情報を出力する。出力情報は、音声のみがスピーカー等の音声出力装置から出力されてもよいし、映像及び音声がディスプレイ等の映像出力装置から出力されてもよい。なお、図２に示される情報提供システム２０では、出力装置としてスピーカーが用いられ、音声のみが出力される。
【００１４】
次に情報提供システム２０の詳細について説明する。情報提供システム２０は、音声入力装置２１、第二音声出力装置２２及び制御装置２３を備える。
【００１５】
音声入力装置２１は、マイク、通信部及び制御部を備える。音声入力装置２１は、通信部を介して制御装置２３と通信可能に接続される。音声入力装置２１と制御装置２３との間の通信は、無線通信を用いて実現されてもよいし、ケーブルやメタル線等を用いた有線通信を用いて実現されてもよい。無線通信の具体例として、Bluetooth（登録商標）や赤外線通信がある。有線通信の具体例として、Universal Serial Bus（ＵＳＢ）がある。音声入力装置２１のマイクは、入力された音声を変換することで電気信号を生成し、生成された電気信号を制御部に出力する。
【００１６】
音声入力装置２１は、乗物１０に予め設置されている第一音声出力装置１１０の付近に設置される。より好ましくは、第一音声出力装置１１０から出力される音声を入力しやすい態様で音声入力装置２１は設置される。そのため、第一音声出力装置１１０によって音声が出力されると、その音声は音声入力装置２１に入力され、音声を示す電気信号が制御部に出力される。
【００１７】
音声入力装置２１の制御部は、入力された音声の電気信号が所定の条件を満たしたか否か判定する。所定の条件とは、第一音声出力装置１１０から音声が出力されていることを示す条件である。第一音声出力装置１１０から音声が出力されている場合には、所定の条件が満たされる。所定の条件は、例えば音声信号の強度が所定の閾値を超えていることであってもよいし、音声信号の強度が所定の閾値を超えている時間が連続して所定の長さ以上係属していることであってもよいし、他の条件であってもよい。所定の条件が満たされた場合、音声入力装置２１の制御部は、所定の条件が満たされたことを示す情報（以下「オン信号」という。）を制御装置２３に送信する。
【００１８】
第二音声出力装置２２は、制御装置２３と通信可能に接続される。第二音声出力装置２２と制御装置２３との間の通信は、無線通信を用いて実現されてもよいし、ケーブルやメタル線等を用いた有線通信を用いて実現されてもよい。無線通信の具体例として、Bluetooth（登録商標）や赤外線通信がある。有線通信の具体例として、ＵＳＢがある。第二音声出力装置２２は、スピーカーを用いて構成される。第二音声出力装置２２は、制御装置２３から出力される音声信号を音声として出力する。
【００１９】
制御装置２３は、情報処理装置を用いて構成される。制御装置２３は、例えばスマートフォン、携帯電話機、タブレット装置、小型情報処理装置（例えばシングルボードコンピューター）、Programmable Logic Controller（ＰＬＣ）、ゲーム装置等の装置を用いて構成されてもよい。図３は、制御装置２３の機能構成例を示す概略ブロック図である。制御装置２３は、第一通信部２３１、第二通信部２３２、位置情報取得部２３３、入力部２３４、出力部２３５、記憶部２３６及び制御部２３７を備える。
【００２０】
第一通信部２３１は、通信インターフェースやケーブルの入力端子を用いて構成される。第一通信部２３１は、音声入力装置２１及び第二音声出力装置２２と通信する。
【００２１】
第二通信部２３２は、無線通信を行うことで提供情報管理装置３０と通信する。第二通信部２３２は、例えば移動体通信網の基地局装置と無線通信することで移動体通信網に接続し、移動体通信網を経由して提供情報管理装置３０に通信可能に接続されてもよい。
【００２２】
位置情報取得部２３３は、乗物１０の現在位置の位置情報を取得する。位置情報取得部２３３は、例えば衛星測位システムや携帯電話網の基地局との通信などによって現在位置の位置情報を取得する。衛星測位システムの具体例として、Global Positioning System（ＧＰＳ）やＧａｌｉｌｅｏ等がある。位置情報取得部２３３は、取得した位置情報を制御部２３７へ出力する。
【００２３】
入力部２３４は、タッチパネルやボタンやキーボード等の入力装置である。入力部２３４は、人物による操作を受け付ける。入力部２３４は、操作の内容を示す信号を制御部２３７へ出力する。情報提供システム２０の管理者等の操作者は、入力部２３４を操作することによって、情報提供システム２０の設定内容の初期値を登録したり変更したりすることができる。
【００２４】
出力部２３５は、ディスプレイやスピーカーやランプ等の出力装置である。出力部２３５は、制御部２３７によって生成される映像や文字列を表示する。情報提供システム２０の管理者等の操作者は、出力部２３５に表示される情報や出力部２３５から出力される音声情報に基づいて、情報提供システム２０の現在の設定内容や状態を知ることができる。
【００２５】
記憶部２３６は、磁気ハードディスク装置や半導体記憶装置等の記憶装置を用いて構成される。記憶部２３６は、制御部２３７が処理を行う際に必要となる情報を記憶する。例えば、記憶部２３６は、提供情報管理装置３０から受信した提供情報を記憶する。例えば、記憶部２３６は、制御部２３７が実行するプログラムを記憶する。例えば、記憶部２３６は、制御部２３７によって出力された提供情報の履歴に関する情報（ログ情報）を記憶する。
【００２６】
制御部２３７は、Central Processing Unit（ＣＰＵ）等のプロセッサーとメモリーとを用いて構成される。制御部２３７は、プロセッサーがプログラムを実行することによって動作する。なお、制御部２３７の各動作の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されても良い。上記のプログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ、半導体記憶装置（例えばＳＳＤ：Solid State Drive）等の可搬媒体、コンピュータシステムに内蔵されるハードディスクや半導体記憶装置等の記憶装置である。上記のプログラムは、電気通信回線を介して送信されても良い。
【００２７】
制御部２３７は、所定のタイミングで、位置情報取得部２３３によって取得された位置情報を含む要求情報を生成する。要求情報とは、提供情報管理装置３０に対して提供情報を要求することを示す情報である。
【００２８】
制御部２３７は、記憶部２３６に記憶されている各提供情報について、出力条件が満たされたか否か判定する。出力条件が満たされた提供情報が存在する場合、制御部２３７は、その提供情報に定義されている情報（音声）を第二音声出力装置２２から出力する。出力条件には、例えば以下の１つ以上の項目が含まれてもよい。位置、領域、日付、期間、時間帯、曜日、平日又は休日、過去の出力実績、管理者によって任意に定められる値（以下「任意値」という。）。出力条件として位置が定義されている場合には、その位置に応じて定められた領域内に乗物１０が位置していることが出力条件となる。位置に応じた領域は、その位置を中心として予め定められた長さの半径の円の領域であってもよいし、その位置を中心として予め定められた長さの辺の矩形の領域であってもよいし、他の定義であってもよい。出力条件として領域が定義されている場合には、その領域内に乗物１０が位置していることが出力条件となる。出力条件として日付が定義されている場合には、その時の実際の日付が、出力条件として定義されている日付に応じて定められた期間内に位置していることが出力条件となる。出力条件として期間が定義されている場合には、その時の実際の日付が、出力条件として定義されている期間内に位置していることが出力条件となる。出力条件として時間帯が定義されている場合には、その時の実際の時刻が、出力条件として定義されている時間帯に位置していることが出力条件となる。出力条件として曜日が定義されている場合には、その時の実際の日付の曜日が、出力条件として定義されている曜日に合致していることが出力条件となる。出力条件として平日又は休日が定義されている場合には、その時の実際の日付が、出力条件として定義されている平日又は休日に合致していることが出力条件となる。出力条件として過去の出力実績が定義されている場合には、過去の出力実績に応じてその提供情報が出力されるか否かが決定される。例えば、過去の出力実績の具体例として出力回数（配信回数）が定義されている場合は、他の出力条件が満たされた場合には提供情報が出力されるが、出力のべ回数が出力条件の出力回数を超えた場合には提供情報が出力されない。出力回数は、情報提供システム２０毎にカウントされた回数であってもよいし、情報配信システム１００全体における出力回数として定義されてもよい。後者の場合は、各情報提供システム２０において出力された回数を提供情報管理装置３０等の装置が取得し、各情報提供システム２０に対して現在ののべ回数を通知するように構成されてもよい。出力条件として任意値が定義されている場合には、管理者によって予め定められた条件に合致する任意値が登録されている提供情報が出力される。各提供情報の提供元において情報を出力することについて入札が行われ、その入札の結果出力の権利を提供元が得たことが他の出力条件として設定されてもよい。上述した出力条件は一例にすぎない。また、上述した条件のうち複数の条件が組み合わされてもよい。その場合は、複数の条件の全てが満たされた場合にのみ出力されるように出力条件が定義されてもよい。また、複数の条件のうちいずれか一つが満たされた場合に出力されるように出力条件が定義されてもよい。
【００２９】
制御部２３７は、音声入力装置２１からオン信号を受信すると、オン信号が受信されてから所定のタイミングまで、第二音声出力装置２２からの音声出力を停止する。このように構成されることで、乗物１０に予め設置されている第一音声出力装置１１０から音声が出力されている時に第二音声出力装置２２から音声が出力されてしまうことを防止することができる。
【００３０】
提供情報管理装置３０は、情報処理装置を用いて構成される。提供情報管理装置３０は、例えばサーバーやパーソナルコンピューター等の装置を用いて構成されてもよい。図４は、提供情報管理装置３０の機能構成例を示す概略ブロック図である。提供情報管理装置３０は、通信部３１、記憶部３２及び制御部３３を備える。
【００３１】
通信部３１は、通信インターフェースを用いて構成される。通信部３１は、ネットワーク６０を介して情報提供システム２０及び端末装置４０と通信する。
【００３２】
記憶部３２は、磁気ハードディスク装置や半導体記憶装置等の記憶装置を用いて構成される。記憶部３２は、制御部３３が処理を行う際に必要となる情報を記憶する。例えば、記憶部３２は、自装置に登録された提供情報を記憶する。例えば、記憶部３２は、制御部３３が実行するプログラムを記憶する。例えば、記憶部３２は、各情報提供システム２０で出力された提供情報の履歴に関する情報（ログ情報）を記憶する。例えば、記憶部３２は、各提供情報について、提供主（例えば広告主）に関する情報を記憶する。
【００３３】
制御部３３は、ＣＰＵ等のプロセッサーとメモリーとを用いて構成される。制御部３３は、プロセッサーがプログラムを実行することによって動作する。なお、制御部３３の各動作の全て又は一部は、ＡＳＩＣやＰＬＤやＦＰＧＡ等のハードウェアを用いて実現されても良い。上記のプログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ、半導体記憶装置（例えばＳＳＤ）等の可搬媒体、コンピュータシステムに内蔵されるハードディスクや半導体記憶装置等の記憶装置である。上記のプログラムは、電気通信回線を介して送信されても良い。
【００３４】
制御部３３は、端末装置４０から送信される情報に基づいて、新たな提供情報を生成し、記憶部３２に提供情報を登録する。制御部３３は、既に登録されている提供情報の内容について端末装置４０から変更の要求を受けた場合、要求された変更に応じて提供情報の内容を更新する。
【００３５】
制御部３３は、情報提供システム２０から要求情報を受信すると、その要求情報に含まれる位置情報に応じて、配信条件を満たした提供情報を判定する。配信条件を満たした提供情報は、送信対象情報として判定される。そして、制御部３３は、配信条件が満たされた１又は複数の提供情報（送信対象情報）を、位置情報の送信元である情報提供システム２０に対して送信する。
【００３６】
配信条件には、例えば位置条件及び時間条件のいずれか一方または双方が定義されていてもよい。位置条件とは、提供情報に含まれる出力条件に定義されている位置又は領域と、現在の乗物１０の位置と、の関係を示す条件である。例えば、現在の乗物１０の位置を中心とした所定の幾何学形状（例えば円）の領域内に、出力条件に定義されている位置又は領域が含まれていることが位置条件として定義されてもよい。時間条件とは、提供情報に含まれる出力条件に定義されている日付、期間、時間帯又は曜日と、現在の日時と、の関係を示す条件である。例えば、現在の日時から所定の時間分の未来までの間に出力条件に定義されている日付、期間、時間帯又は曜日が含まれていることが時間条件として定義されてもよい。
【００３７】
図５は、出力条件と配信条件の位置条件との関係を示す図である。図５において、円２０１は、出力条件の領域を示している。この場合、出力条件は、乗物１０を中心とした所定の半径の円２０１内に、提供情報の位置が含まれていることが定義されている。円２０２は、配信条件の領域を示している。この場合、配信条件は、乗物１０を中心とした所定の半径の円２０２内に、提供情報の位置が含まれていることが定義されている。図５から明らかなように、配信条件が示す範囲には、出力条件が示す範囲よりもさらに遠くの位置が含まれる。言い換えると、ある提供情報に関して、出力条件が満たされる前に、配信条件が満たされる。そのため、乗物１０の情報提供システム２０には、各提供情報について、出力条件が満たされる前に、提供情報管理装置３０による配信が行われる。したがって、出力のタイミングを喪失することなく、各乗物１０の情報提供システム２０に提供情報を配信することが可能となる。
【００３８】
図６は、情報配信システム１００における提供情報の配信処理の具体例を示すシーケンスチャートである。まず、制御装置２３の制御部２３７が位置情報を取得する（ステップＳ１０１）。次に、制御部２３７が要求情報を生成する（ステップＳ１０２）。そして、制御部２３７が要求情報を提供情報管理装置３０へ送信する（ステップＳ１０３）。
【００３９】
提供情報管理装置３０の制御部３３は、要求情報を受信すると、送信対象情報を判定する（ステップＳ１０４）。制御部３３は送信対象情報として判定された１又は複数の各提供情報を、記憶部３２から読み出す（ステップＳ１０５）。そして、制御部３３は、送信対象情報として各送信対象情報を送信する（ステップＳ１０６）。制御装置２３の制御部２３７は、送信対象情報を受信すると、受信された送信対象情報を記憶部２３６に記録する（ステップＳ１０７）。
【００４０】
図７は、情報配信システム１００における提供情報の出力処理の具体例を示すシーケンスチャートである。まず、制御装置２３の制御部２３７が位置情報を取得する（ステップＳ２０１）。次に、制御部２３７が、記憶部２３６に記録されている各提供情報について、出力条件が満たされたか否か判定する（ステップＳ２０２）。出力条件が満たされた提供情報がない場合（ステップＳ２０２−ＮＯ）、制御部２３７は提供情報の出力を行わずに次のタイミングまで待機する。一方、出力条件が満たされた提供情報がある場合（ステップＳ２０２−ＹＥＳ）、制御部２３７は、出力条件が満たされた提供情報の出力を行う。具体的には、制御部２３７は、出力条件が満たされた提供情報に含まれる出力情報を復号化して音声信号を生成し、第二音声出力装置２２へ出力する（ステップＳ２０３）。第二音声出力装置２２は、制御部２３７から出力された音声信号に応じて音声を出力する（ステップＳ２０４）。制御部２３７は、出力情報を第二音声出力装置２２から出力することが完了すると、提供情報の出力の履歴に関する情報（ログ情報）を記憶部２３６に記録する（ステップＳ２０５）。制御部２３７は、所定のタイミングで、ログ情報を提供情報管理装置３０に送信する。
【００４１】
図８は、情報配信システム１００における提供情報の出力時における例外処理の具体例を示すシーケンスチャートである。音声入力装置２１は、入力された音声に応じて音声信号を生成し、継続的に制御装置２３に出力する（ステップＳ３０１）。制御装置２３の制御部２３７は、音声入力装置２１から出力された音声信号に基づいて、停止条件が満たされたか否か判定する（ステップＳ３０２）。停止条件が満たされていない場合（ステップＳ３０２−ＮＯ）、制御部２３７は、その時点における第二音声出力装置２２での音声出力を継続する。一方、停止条件が満たされた場合（ステップＳ３０２−ＹＥＳ）、制御部２３７は、第二音声出力装置２２における音声出力を停止する（ステップＳ３０３）。
【００４２】
図９〜図１２は、端末装置４０を使用して提供情報管理装置３０に対して提供情報を登録する際の画面の例を示す図である。図９は、地図表示画面の具体例を示す図である。地図表示画面は、端末装置４０に接続された画像表示装置４１に表示される。操作者は、端末装置４０に接続されたポインティングデバイスを操作することによって、画面内のカーソル４２の位置を操作することができる。１又は複数のポインター７０は、画面に表示されている地図の領域において、提供情報が登録されている位置を示す。例えば、出力条件が示す位置や、出力条件が示す領域の中心の位置にポインター７０が示される。
【００４３】
図１０は、提供情報の登録操作の画面の具体例を示す図である。操作者は、地図表示画面において、提供情報の出力条件として登録したい位置や領域の中心位置にカーソル４２を移動させ、クリックする。クリックに応じて、その時点でカーソル４２が位置する場所に新たなポインター７０が表示され、登録用ウィンドウ４３と登録ボタン４４とが表示される。
【００４４】
図１１は、提供情報の入力画面の具体例を示す図である。登録ボタン４４に対して所定の操作（例えばカーソル４２でクリック）がされると、提供情報の入力画面が表示される。入力画面では、提供情報の内容を入力するための入力欄が複数表示される。例えば、図１１の例では、広告名の入力欄４１１、再生テキストの入力欄４１２、配信回数の入力欄４１３及び配信時間の入力欄４１４が表示されている。再生テキストの入力欄４１２に入力された文字列が、合成音声の信号に変換されて出力情報として記憶部３２に登録される。また、カーソル４２でクリックされた地図上の位置を示す位置情報と、配信回数の入力欄４１３に入力された値と、配信時間の入力欄４１４に入力された値と、が出力条件として登録される。入力画面には、他の入力欄が設けられてもよい。
【００４５】
図１２は、登録済みの提供情報の内容を確認する際の画面の具体例を示す図である。操作者が、地図表示画面において、既に提供情報が登録されていることを示すポインター７０にカーソル４２を合わせてクリックすると、クリックに応じてそのポインター７０に対応付けられている提供情報の内容が確認用ウィンドウ４５に表示される。確認用ウィンドウ４５には更新ボタン４６も表示される。更新ボタン４６が操作されると、確認用ウィンドウ４５に表示されている内容が最新の情報に更新される。
【００４６】
このように構成された情報配信システム１００によれば、出力条件が満たされた提供情報が制御装置２３によって選択され、第二音声出力装置２２から自動的に出力される。そのため、乗物１０に乗っている人物に対し、その位置や時間に応じてより関心が示される情報を提供することが可能となる。また、出力条件が制御装置２３によって所定のタイミングで判定されるため、乗物１０の乗員などが手動で情報の出力のための操作をする必要が無い。
【００４７】
また、音声の出力は情報提供システム２０によって行われる。情報提供システム２０は、予め乗物１０に設置されている出力システム（第一音声出力装置１１０及び音声制御装置１２０）とは異なるシステムであり、独立して設けられるシステムである。そのため、予め乗物１０に設置されている出力システムの改変等の作業が不要であり、容易に設置することが可能である。具体的には、音声入力装置２１、第二音声出力装置２２及び制御装置２３を設置するのみで容易に情報提供が可能となる。
【００４８】
また、情報提供システム２０の制御装置２３による音声の出力は、乗物１０に設置されている出力システム（第一音声出力装置１１０及び音声制御装置１２０）による情報の出力がなされているときには行われない。言い換えれば、従来から乗物１０でなされていた情報の出力が実行されているときには、情報提供システム２０の制御装置２３による提供情報の出力は行われない。このような出力の制御は、第一音声出力装置１１０から出力される音声を音声入力装置１１が入力し、所定の大きさ以上の音声が検出された場合には制御装置２３が提供情報の出力を停止することで実現される。このように、従来から乗物１０でなされている音声の出力を阻害することなく、制御装置２３による提供情報の出力を実現することが可能となる。特に、上述したように予め乗物１０に設置されている出力システムとは異なる独立したシステムとして情報提供システム２０が設置される場合には、たとえ独立したシステムであっても重複して音声が出力されるようなことを適切に防止することが可能となるという顕著な効果を奏する。
【００４９】
また、提供情報の登録は、端末装置４０を操作してネットワーク６０を介して提供情報管理装置３０にアクセスすることによって容易に行うことができる。そのため、情報を提供しようとする者（例えば広告主）は、頻繁に情報を登録したり更新したりすることができる。
【００５０】
また、提供情報の登録は、例えば再生テキストの入力欄４１２に音声の文字列を入力することで行われる。登録された文字列は、その文字列を音声にするための変換処理が実行されることで音声データに変換される。そのため、音声を収録して音声データを生成してから登録するような従来の仕組みと異なり、より容易に音声を登録することが可能となる。
【００５１】
（変形例）
図１０のような登録時の処理において、制御部３３は、クリックされた時点のカーソル４２の位置が登録可能な位置であるか否か判定し、登録可能な位置である場合にのみポインター７０を表示してもよい。登録可能な位置とは、既に提供情報が登録されている他の全ての位置との距離が所定の値以上となっていることである。この所定の値は、情報提供システム２０が設置される乗物１０の移動速度に応じて定められてもよい。例えば、乗物１０が路線バスであれば、移動速度が時速４０キロメートルとして一律に定められてもよい。この所定の値は、情報提供システム２０が設置される乗物１０がその登録の位置の周辺を移動する際の移動速度の統計値に基づいて定められてもよい。例えば、その位置が、交通渋滞が生じやすい場所である場合には、移動速度が時速１０キロメートルとして定められてもよい。例えば、その位置が、交通渋滞が生じにくく信号も少ない場所である場合には、移動速度が時速５０キロメートルとして定められてもよい。例えば、その位置が高速道路上である場合には、移動速度が時速８０キロメートルとして定められてもよい。このように構成されることで、情報提供システム２０においてある提供情報が出力されている最中に、乗物１０が移動したことに起因して新たに他の提供情報の出力条件が満たされしまうことを防止できる。
【００５２】
提供情報を登録可能な位置が予め定められていてもよい。例えば、乗物１０が路線バスである場合には、各停留所に応じた位置が登録可能な位置として予め定められてもよい。この場合、登録可能な位置として設定されている位置以外の位置には提供情報を登録することはできない。この場合、地図表示画面では、登録可能な位置の全てにポインター７０が表示されてもよい。このとき、既に提供情報が登録されている位置のポインター７０と、まだ提供情報が登録されていない位置のポインター７０とが異なる態様で表示されてもよい。例えば、それぞれ異なる色で表示されてもよいし、それぞれ異なる線種で表示されてもよいし、それぞれ異なる大きさで表示されてもよい。
【００５３】
制御装置２３は、提供情報を出力すると、その提供情報を示す識別情報と出力した回数とを所定のタイミングで提供情報管理装置３０に送信してもよい。このように構成されることによって、提供情報管理装置３０において、各提供情報の出力状況を把握することが可能となる。また、出力条件として配信回数が設定されている場合には、提供情報管理装置３０は、制御装置２３に対して、各提供情報のこれまでの配信回数を示す情報を所定のタイミングで通知してもよい。制御装置２３は、通知された配信回数が出力条件として定義されている配信回数を超えている場合には、その提供情報の出力を行わない。
【００５４】
情報配信システム１００は、地域の情報インフラとして使用されてもよい。この場合、提供情報として、その位置に応じた防災情報、その位置に応じた地域のニュース、その位置に応じたイベント（例えばスポーツイベント）に関する情報、等の情報が情報提供システム２０によって提供されてもよい。スポーツイベントに関する情報の具体例として、スポーツイベントの会場の最寄りの停留所において、スポーツイベントの開催時間帯に応じた情報が提供されてもよいし、スポーツイベントの途中経過の情報が提供されてもよい。
【００５５】
図１３は、情報提供システムの変形例（情報提供システム２０ａ）の構成例を示すシステム構成図である。情報提供システム２０ａは、制御装置２３及び切替装置２４を備える。情報提供システム２０ａが設置された乗物１０では、第一音声出力装置１１０と音声制御装置１２０とは、切替装置２４を経由して接続される。切替装置２４は、音声制御装置１２０から出力される音声信号を優先的に第一音声出力装置１１０に対して出力する。切替装置２４は、音声制御装置１２０から音声信号が出力されていない場合には、制御装置２３から出力される音声信号を第一音声出力装置１１０に対して出力する。切替装置２４は、例えば機械式のリレースイッチを用いて構成されてもよいし、ＩＣリレースイッチを用いて構成されてもよいし、他の切替装置を用いて構成されてもよい。このように構成された情報提供システム２０ａでも、従来から乗物１０でなされている音声の出力を阻害することなく、制御装置２３ａによる提供情報の出力を実現することが可能となる。
【００５６】
図１４は、情報提供システムの変形例（情報提供システム２０ｂ）の構成例を示すシステム構成図である。情報提供システム２０ｂは、制御装置２３ｂを備える。情報提供システム２０ｂが設置された乗物１０では、音声制御装置１２０は、第一音声出力装置１１０のみではなく、制御装置２３ｂにも接続される。音声制御装置１２０は、第一音声出力装置１１０によって音声を出力する際には、制御装置２３ｂに自装置の音声出力のタイミングであることを通知する。この通知は、どのような態様で実現されてもよい。例えば、音声制御装置１２０は、第一音声出力装置１１０に対して出力する音声信号と同じ信号を制御装置２３ｂに出力することで通知してもよい。例えば、音声制御装置１２０は、予め定められた信号を出力することで制御装置２３ｂに通知してもよい。例えば、音声制御装置１２０は、予め制御装置２３ｂとの間で接続された信号線に所定の大きさの電流又は電圧の信号を流すことで通知してもよい。この通知はどのような態様で行われてもよい。制御装置２３ｂは、音声制御装置１２０から音声出力のタイミングであることの通知を受けると、通知に応じて第一音声出力装置１１０からの自装置による提供情報の出力を停止する。このように構成された情報提供システム２０ｂでも、従来から乗物１０でなされている音声の出力を阻害することなく、制御装置２３ｂによる提供情報の出力を実現することが可能となる。
【００５７】
制御部３３は、配信条件を満たしたか否かについて判定するのではなく、出力条件を満たしたか否かについて判定するように構成されてもよい。このように構成された場合、制御部３３は、出力条件が満たされた提供情報を、該当する移動体１０の情報提供システム２０に送信する。情報提供システム２０の制御装置２３は、提供情報管理装置３０から提供情報を受信すると、出力条件について判定を行うこと無く、受信された提供情報（出力情報）を出力するように構成されてもよい。
【００５８】
以上、この発明の実施形態について図面を参照して詳述してきたが、具体的な構成はこの実施形態に限られるものではなく、この発明の要旨を逸脱しない範囲の設計等も含まれる。
【符号の説明】
【００５９】
１００…情報配信システム，  １１０…第一音声出力装置，  １２０…音声制御装置，  １０…乗物，  ２０…情報提供システム，  ２１…音声入力装置，  ２２…第二音声出力装置，  ２３…制御装置，  ２３１…第一通信部，  ２３２…第二通信部，  ２３３…位置情報取得部，  ２３４…入力部，  ２３５…出力部，  ２３６…記憶部，  ２３７…制御部，  ３０…提供情報管理装置，  ３１…通信部，  ３２…記憶部，  ３３…制御部，  ４０…端末装置，  ５０…通信衛星，  ６０…ネットワーク，  ７０…ポインター
【図１】
2020154756.tif 000003
【図２】
2020154756.tif 000004
【図３】
2020154756.tif 000005
【図４】
2020154756.tif 000006
【図５】
2020154756.tif 000007
【図６】
2020154756.tif 000008
【図７】
2020154756.tif 000009
【図８】
2020154756.tif 000010
【図９】
2020154756.tif 000011
【図１０】
2020154756.tif 000012
【図１１】
2020154756.tif 000013
【図１２】
2020154756.tif 000014
【図１３】
2020154756.tif 000015
【図１４】
2020154756.tif 000016